(57)【要約】【課題】本発明は、情報源が画一化を抑制でき多彩な番組コンテンツの供給を促す番組制作方法、番組制作装置、番組制作プログラムを提供することを目的とする。【解決手段】複数のピアにて番組制作の基となる素材データを前記ピア・ツー・ピア・ネットワークに公開し、公開した素材データにメタデータを関連付けて流通させ、任意のピアにて流通しているメタデータから所望の素材データを公開しているピアを検索し、直接接続して所望の素材データを取得し、取得した複数の素材データを組み合わせ番組コンテンツを生成することにより、ピア・ツー・ピア・ネットワークを構成する複数のピアは、全て素材データ提供者側と利用者側のどちらにもなることができ、情報源が画一化を抑制でき多彩な番組コンテンツの供給を促すことができる。【選択図】　　　　図１
2004080307.tif 000002
【特許請求の範囲】
【請求項１】
ピア・ツー・ピア・ネットワークを構成する複数のピアにて番組制作の基となる素材データを前記ピア・ツー・ピア・ネットワークに公開するステップと、
前記公開した素材データにメタデータを関連付けて前記ピア・ツー・ピア・ネットワークに流通させるステップと、
前記ピア・ツー・ピア・ネットワークを構成する任意のピアにて前記ピア・ツー・ピア・ネットワークに流通しているメタデータから所望の素材データを公開しているピアを検索するステップと、
検索されたピアに直接接続して所望の素材データを取得するステップと、
取得した複数の素材データを組み合わせ番組コンテンツを生成するステップを
有することを特徴とする番組制作方法。
【請求項２】
ピア・ツー・ピア・ネットワークを構成するピアであって、
番組制作の基となる素材データを前記ピア・ツー・ピア・ネットワークに公開する公開手段と、
前記公開した素材データにメタデータを関連付けて前記ピア・ツー・ピア・ネットワークに流通させる関連付け手段を
有することを特徴とする番組制作装置。
【請求項３】
ピア・ツー・ピア・ネットワークを構成するピアであって、
前記ピア・ツー・ピア・ネットワークに流通しているメタデータから所望の素材データを公開しているピアを検索する検索手段と、
検索されたピアに直接接続して所望の素材データを取得する取得手段と、
取得した複数の素材データを組み合わせ番組コンテンツを生成する番組コンテンツ生成手段を
有することを特徴とする番組制作装置。
【請求項４】
ピア・ツー・ピア・ネットワークを構成するピアであって、
番組制作の基となる素材データを前記ピア・ツー・ピア・ネットワークに公開する公開手段と、
前記公開した素材データにメタデータを関連付けて前記ピア・ツー・ピア・ネットワークに流通させる関連付け手段と、
前記ピア・ツー・ピア・ネットワークに流通しているメタデータから所望の素材データを公開しているピアを検索する検索手段と、
検索されたピアに直接接続して所望の素材データを取得する取得手段と、
取得した複数の素材データを組み合わせ番組コンテンツを生成する番組コンテンツ生成手段を
有することを特徴とする番組制作装置。
【請求項５】
ピア・ツー・ピア・ネットワークを構成するピアを、
番組制作の基となる素材データをピア・ツー・ピア・ネットワークに公開する公開手段、
前記公開した素材データにメタデータを関連付けて前記ピア・ツー・ピア・ネットワークに流通させる関連付け手段、
前記ピア・ツー・ピア・ネットワークに流通しているメタデータから所望の素材データを公開しているピアを検索する検索手段、
検索されたピアに直接接続して所望の素材データを取得する取得手段、
取得した複数の素材データを組み合わせ番組コンテンツを生成する番組コンテンツ生成手段、
として機能させるための番組制作プログラム。
【請求項６】
請求項１記載の番組制作方法において、
前記素材データを取得したとき、前記ピア・ツー・ピア・ネットワークを構成するピアとしての課金サーバに取得の通知を行うステップと、
前記取得の通知によって、前記課金サーバから、前記素材データを取得したピアに課金を行うステップと、
前記取得の通知によって、前記課金サーバから、取得された素材データを公開しているピアに支払いを行うステップを
有することを特徴とする番組制作方法。
【発明の詳細な説明】
【０００１】
【発明の属する技術分野】
本発明は番組制作方法、番組制作装置、番組制作プログラムに関し、特に、ピア・ツー・ピア・ネットワークを用いた番組制作方法、番組制作装置、番組制作プログラムに関する。
【０００２】
【従来の技術】
本出願人は、特願２００１−３５１５１２等により、番組作成方法を提案した。この番組作成方法は、放送波、パッケージメディアおよびクライアント−サーバ型ネットワーク等を通して番組を作成する素材となる素材データを配信し、視聴端末側で素材データを組み合わせて番組化し視聴する形態をとっている。
【０００３】
【発明が解決しようとする課題】
上記の番組作成方法では、素材データ提供者側と、それを取得し視聴する利用者側とに二極化されてしまう。利用者は視聴する機能は持つが、情報を発信するためには放送波、パッケージメディアおよびネットワークサーバ等を利用しなければならないため、知識、資金、技術、設備等が必要とされる場合が多く、容易に情報発信することはできなかった。
【０００４】
このような二極化した状態では情報源が画一的になり、より多彩なコンテンツが要求される番組作成システムにおいては、コンテンツの供給不足が起こってしまうという問題があった。
【０００５】
なお、従来から提案されているピア・ツー・ピア・ネットワークを用いて番組を配信することが考えられるが、この場合も素材データ提供者側と利用者側とに二極化されてしまう点で上記の番組作成方法と何ら代わりはなかった。
【０００６】
本発明は、上記の点に鑑みなされたもので、素材データ提供者側と利用者側との二極化を抑制でき、情報源が画一化を抑制でき多彩な番組コンテンツの供給を促す番組制作方法、番組制作装置、番組制作プログラムを提供することを目的とする。
【０００７】
【課題を解決するための手段】
請求項１に記載の発明は、ピア・ツー・ピア・ネットワークを構成する複数のピアにて番組制作の基となる素材データを前記ピア・ツー・ピア・ネットワークに公開するステップと、
前記公開した素材データにメタデータを関連付けて前記ピア・ツー・ピア・ネットワークに流通させるステップと、
前記ピア・ツー・ピア・ネットワークを構成する任意のピアにて前記ピア・ツー・ピア・ネットワークに流通しているメタデータから所望の素材データを公開しているピアを検索するステップと、
検索されたピアに直接接続して所望の素材データを取得するステップと、
取得した複数の素材データを組み合わせ番組コンテンツを生成するステップを有することにより、
ピア・ツー・ピア・ネットワークを構成する複数のピアは、全て素材データ提供者側と利用者側のどちらにもなることができ、これにより、情報源が画一化を抑制でき多彩な番組コンテンツの供給を促すことができる。
【０００８】
請求項２に記載の発明は、ピア・ツー・ピア・ネットワークを構成するピアであって、
番組制作の基となる素材データを前記ピア・ツー・ピア・ネットワークに公開する公開手段と、
前記公開した素材データにメタデータを関連付けて前記ピア・ツー・ピア・ネットワークに流通させる関連付け手段を有することにより、
素材データ提供者側のピアとなることができる。
【０００９】
請求項３に記載の発明は、ピア・ツー・ピア・ネットワークを構成するピアであって、
前記ピア・ツー・ピア・ネットワークに流通しているメタデータから所望の素材データを公開しているピアを検索する検索手段と、
検索されたピアに直接接続して所望の素材データを取得する取得手段と、
取得した複数の素材データを組み合わせ番組コンテンツを生成する番組コンテンツ生成手段を有することにより、
素材データ利用者側のピアとなることができる。
【００１０】
請求項４に記載の発明は、ピア・ツー・ピア・ネットワークを構成するピアであって、
番組制作の基となる素材データを前記ピア・ツー・ピア・ネットワークに公開する公開手段と、
前記公開した素材データにメタデータを関連付けて前記ピア・ツー・ピア・ネットワークに流通させる関連付け手段と、
前記ピア・ツー・ピア・ネットワークに流通しているメタデータから所望の素材データを公開しているピアを検索する検索手段と、
検索されたピアに直接接続して所望の素材データを取得する取得手段と、
取得した複数の素材データを組み合わせ番組コンテンツを生成する番組コンテンツ生成手段を有することにより、
ピア・ツー・ピア・ネットワークを構成する複数のピアは、全て素材データ提供者側と利用者側のどちらにもなることができ、これにより、情報源が画一化を抑制でき多彩な番組コンテンツの供給を促すことができる。
【００１１】
請求項５に記載の発明は、ピア・ツー・ピア・ネットワークを構成するピアを、
番組制作の基となる素材データをピア・ツー・ピア・ネットワークに公開する公開手段、
前記公開した素材データにメタデータを関連付けて前記ピア・ツー・ピア・ネットワークに流通させる関連付け手段、
前記ピア・ツー・ピア・ネットワークに流通しているメタデータから所望の素材データを公開しているピアを検索する検索手段、
検索されたピアに直接接続して所望の素材データを取得する取得手段、
取得した複数の素材データを組み合わせ番組コンテンツを生成する番組コンテンツ生成手段、
として機能させることにより、請求項１，４の発明を実現できる。
【００１２】
請求項６に記載の発明は、請求項１記載の番組制作方法において、
前記素材データを取得したとき、前記ピア・ツー・ピア・ネットワークを構成するピアとしての課金サーバに取得の通知を行うステップと、
前記取得の通知によって、前記課金サーバから、前記素材データを取得したピアに課金を行うステップと、
前記取得の通知によって、前記課金サーバから、取得された素材データを公開しているピアに支払いを行うステップを有することにより、
素材データを有料で配布することができる。
【００１３】
【発明の実施の形態】
図１は、本発明の番組制作方法を実現するピア・ツー・ピア・ネットワークの一実施例の構成図を示す。同図中、ピア１〜６はピア・ツー・ピア・ネットワークを構成する。ここで、ピア・ツー・ピア・ネットワークとしては、ピアの探索、発見に仲介者（ブローカ）を必要としない、例えばＳＩＯＮｅｔ（意味情報ネットワーク）により構築するものとする。
【００１４】
本発明では、ピア・ツー・ピア・ネットワークを構成する任意のピア１〜６が番組の基となる映像素材、音声素材、テキスト、ＣＧ（Ｃｏｍｐｕｔｅｒ　Ｇｒａｐｈｉｃｓ）モデル，番組台本テンプレート等の素材データをピア・ツー・ピア・ネットワーク上に公開し、公開した素材データのインデックスとしてメタデータをピア・ツー・ピア・ネットワークに流通させる。
【００１５】
任意のピア（例えばピア６）が当該ピア・ツー・ピア・ネットワークにログオンしたとき、ピア・ツー・ピア・ネットワークに公開されている素材データのメタデータをピア１〜５から取得する。そして、取得したメタデータに基づき、所望の素材データを検索し、所望の素材データが存在するピア・ツー・ピア・ネットワーク上の位置、即ち所望の素材データを提供するピアの識別情報をメタデータから取得する。
【００１６】
そして、再生を行うピア６は、所望の素材データを提供するピア（例えばピア１〜５）に直接接続し、所望の素材データをダウンロードまたはストリーミングで収集する。このようにして、収集した素材データの集まりを１つのピア上で組み合わせることにより所望の番組コンテンツを生成して再生する。
【００１７】
図２は、ピアの一実施例のハードウエア構成図を示す。同図中、入力装置１１はキーボード及びマウス等で構成され各種操作信号を入力する。表示装置１２は各種ウインドウや番組コンテンツ等を表示する。インタフェース装置１３はモデムやルータ等で構成され、ネットワークに接続するために用いられる。
【００１８】
ピアが実行するプログラムはドライブ装置１４に装着されるＣＤ−ＲＯＭ等の記録媒体１５からハードディスク等の補助記憶装置１６にインストールされ、演算処理装置１７で実行される。また、補助記憶装置１６には各種ファイルやデータ等が格納される。演算処理装置１７はプログラムを実行する際にメモリ装置１８を作業領域として使用する。これらの入力装置１１〜メモリ装置１８はバスＢにより相互に接続されている。
【００１９】
各ピア１〜６には同一の機能を持つソフトウェアがインストールされている。図３は、ピアの一実施例の機能ブロック図を示す。同図中、公開機能部２０は、素材データをピア・ツー・ピア・ネットワークに公開する。関連付け機能部２１は、公開した素材データにメタデータを関連付け、メタデータをピア・ツー・ピア・ネットワークで共有して流通させる。
【００２０】
検索機能部２２は、流通しているメタデータに基づいて所望の素材データを検索する。ダウンロードまたはストリーミング機能部２３は、所望の素材データを提供するピアに直接接続し、所望の素材データのダウンロードまたはストリーミングを行う。番組コンテンツ生成機能部２４は、取得した素材データを組み合わせて番組コンテンツを生成する。番組コンテンツ再生機能部２５は、番組コンテンツ生成機能部２４で生成された番組コンテンツの再生を行う。
【００２１】
従って、各ピア１〜６は、素材データを提供するピア（提供ピア）にも、番組コンテンツを生成して再生するピア（再生ピア）にもなることができる。また、例えば携帯電話やＰＤＡ（Ｐｅｒｓｏｎａｌ　Ｄｉｇｉｔａｌ　Ａｓｓｉｓｔａｎｔｓ）のようにハードウェア性能がパーソナルコンピュータ等より低く、無線接続することによって頻繁に接続／切断を繰り返すようなピアの場合は、番組コンテンツ生成機能部２４だけを持たせることもできる。
【００２２】
まず、ピア・ツー・ピア・ネットワークへのログインについて説明する。ピア６はピア・ツー・ピア・ネットワークにログインすると、図１に破線で示すように、ピア１，２，４，５等がピア・ツー・ピア・ネットワークに公開し流通させているメタデータのコピーを取得してピア６内の補助記憶装置に格納する。
【００２３】
また、ピア６は公開しようとする素材データのメタデータを作成し、図４に破線で示すように、ピア・ツー・ピア・ネットワークに流通させ、ピア１〜５に対して素材データを公開する。
【００２４】
図５にメタデータの一例を示す。左欄はテキストのメタデータであり、右欄は動画のメタデータである。メタデータとしては、識別ＩＤとしてのＵＲＬ（Ｕｎｉｆｏｒｍ　Ｒｅｓｏｕｒｃｅ　Ｌｏｃａｔｏｒ）、タイトル、概要、キーワード、リンク先（ＵＲＬ）、公開日時、データサイズ、メディアタイプ、著作権、配信タイプ（ダウンロード／ストリーミング再生）、発信者国籍、使用言語、カテゴリー、金額等を記述しており、更に、アクセス権など他の項目を記述する場合もある。
【００２５】
ピア２は、ピア・ツー・ピア・ネットワークから取得した複数のメタデータから必要な情報を検索する。この検索で得られた一または複数のメタデータから必要な素材データを公開している一または複数のピアの識別１Ｄ（ＵＲＬ）を取得する。そして、一または複数のピア各々に対し１対１で接続し、図６に矢印で示すように、各ピア１〜５から各種の素材データを収集する。
【００２６】
図６においては、ピア６はピア１からニュース記事（テキスト）の素材データを取得し、ピア２からスポーツ映像の素材データを取得し、ピア３からＣＧ（Ｃｏｍｐｕｔｅｒ　Ｇｒａｐｈｉｃｓ）モデルの素材データを取得し、ピア４から番組台本テンプレートの素材データを取得し、ピア５から音楽素材データをそれぞれ取得している。ピア６は、収集した素材データ群を基にして番組コンテンツを生成して再生する。
【００２７】
図７は、各ピアがピア・ツー・ピア・ネットワークにログインしたとき等に実行するメタデータ取得処理の一実施例のフローチャートを示す。なお、この処理は所定時間だけ実行されると、タイマ割り込みにより終了する。
【００２８】
同図中、ステップＳ１０で自ピアに１対１で接続された相手ピアに対し、どのようなカテゴリーの素材データが所望であるかを示す取得要求を出す。取得要求を受信した相手ピアは取得要求で所望された素材データを持っている場合には、その素材データに関するメタデータを送信する。持っていない場合には、その旨の応答を作成するが、所望された素材データを持っているピアが分かっていれば当該ピアの識別ＩＤを応答に付加して送信する。
【００２９】
次に、ステップＳ１２で相手ピアから取得要求に応答して送信されたメタデータまたは応答メッセージを受信し、ステップＳ１４でメタデータが受信されたか否かを判別し、メタデータが受信された場合にはステップＳ１６で受信メタデータを自ピア内の補助記憶装置に格納してステップＳ１０に進む。
【００３０】
応答メッセージを受信した場合にはステップＳ１８に進み、応答メッセージに付加された識別ＩＤのピア、もしくは、取得要求を出していない他のピアに接続を切り換えてステップＳ１０に進む。
【００３１】
図８は番組コンテンツを生成して再生する再生ピアの実行する再生処理の一実施例のフローチャート、図９は素材データを提供する提供ピアの実行する提供処理の一実施例のフローチャート、図１０は課金サーバが実行する課金処理の一実施例のフローチャート、それぞれを示す。なお、課金サーバはピア・ツー・ピア・ネットワークに接続される１つのピアである。
【００３２】
図８において、再生ピアは、ステップＳ２２で補助記憶装置に格納されているメタデータから番組生成に必要な素材または演出のメタデータを検索する。そして、必要な素材または演出のメタデータが発見された場合にはステップＳ２４からステップＳ２６に進み、発見されたメタデータの識別ＩＤを持つピア（提供ピア）と１対１接続を行って、当該ピア（提供ピア）に対し発見されたメタデータに対応する素材データのダウンロードまたはストリーミング要求を行う。
【００３３】
こののち、ステップＳ２８で要求に対して提供ピアからダウンロードまたはストリーミングされる素材データを取得して補助記憶装置に格納する。また、ステップＳ３０で課金サーバに対しダウンロードまたはストリーミングを行ったことを通知する。
【００３４】
次に、ステップＳ３２で番組生成に必要な素材または演出のメタデータの検索が終了したか否かを判別し、終了していなければステップＳ２２に進み、終了していればステップＳ３４に進む。ステップＳ３４では自動番組作成処理を行って、次のステップＳ３６で作成した番組を再生し、処理を終了する。
【００３５】
図９において、提供ピアは、ステップＳ４２で自ピアの補助記憶装置に格納されている素材データをピア・ツー・ピア・ネットワークに公開する。この後、ステップＳ４４で自ピアに対し再生ピアから素材データのダウンロードまたはストリーミング要求の有無を判別し、ダウンロードまたはストリーミング要求がなければステップＳ４４を繰り返す。
【００３６】
ダウンロードまたはストリーミング要求があると判別された場合にはステップＳ４６に進み、再生ピアに対し素材データのダウンロードまたはストリーミングを実行する。その後、ステップＳ４８で課金サーバに対しダウンロードまたはストリーミングを行ったことを通知してステップＳ４４に進む。
【００３７】
図１０において、課金サーバとしてのピアは、ステップＳ５２で再生ピア及び提供ピアからダウンロードまたはストリーミング通知の有無を判別し、ダウンロードまたはストリーミング通知がなければステップＳ５２を繰り返す。ダウンロードまたはストリーミング通知があると判別された場合にはステップＳ５４に進み、再生ピアに対しダウンロードまたはストリーミングの対価として素材データのメタデータに含まれる金額を要求する。
【００３８】
また、ステップＳ５６で提供ピアに対しダウンロードまたはストリーミングの単価を支払い、ステップＳ５２に進む。なお、上記提供ピアに対する単価は再生ピアに対する対価はより低く設定することにより、対価と単価の差から課金サーバが手数料としての利益を得ることができる。
【００３９】
ここで、再生ピアにおける番組コンテンツ生成機能部２４の動作について説明する。番組コンテンツ生成機能部２４は、特願２００１−３５１５１２に記載した番組作成用プロファイル生成装置及び番組自動作成装置（視聴端末）に相当する機能を有している。番組コンテンツ生成機能部２４は、収集した複数の素材データを組み合わせることにより番組コンテンツを生成する。
【００４０】
ここで、番組台本テンプレートは、例えばＴＶＭＬ（ＴＶ　Ｐｒｏｇｒａｍ　Ｍａｋｉｎｇ　Ｌａｎｇｕａｇｅ）によって記述されているものとし、ＴＶＭＬで記述される番組台本テンプレートについて説明する。
【００４１】
例えばＣＧキャラクタに時刻に応じて各種の挨拶をさせる場合、ｃｈａｒａｃｔｅｒ：ｔａｌｋ（ｎａｍｅ＝ＢＯＢ，ｔｅｘｔ＝”＄（Ｇｒｅｅｔｉｎｇ）”）というテンプレートを作成すると、＄（Ｇｒｅｅｔｉｎｇ）の部分を時刻によって、「こんにちは」と置換したり、「こんばんは」と置換したりすることによって、自動的に挨拶を行う台本が生成される。
【００４２】
図１１（Ａ）に示す番組セットアップの番組台本テンプレートでは、２行目の＄（ＣＧ＿ＭＯＤＥＬ＿ＤＡＴＡ）に他のピアから取得した素材データのＣＧセットのモデルデータのファイルパスを置換し、３行目の＄（ＣＧＣＡＳＴＥＲ＿ＭＯＤＥＬ＿ＤＡＴＡ）にＣＧキャスターのモデルデータのファイルパスを置換する。更に、６行目ではキャスターの立ち位置を設定し、７行目ではキャスターの声質を設定する。これ以外にもＣＧ照明の位置，方向，強さ，色，カメラアングルのセット（即ちセット割り）や、ＣＧセット内の仮想モニタ（いわゆる再撮モニタ）の位置などを規定する。
【００４３】
また、図１１（Ｂ）に示すヘッドラインニュースを生成する番組台本テンプレートでは、まずＢＧＭを再生し、ヘッドラインニュースのタイトル画像を表示し、キャスターが「国内外のヘッドラインニュース」と前振りを行う。その後、他のピアから取得した素材データのニュースのタイトル（テキスト）をスーパーインポーズ表示して、キャスターがそのニュースの解説を行う。なお、＄（ＪＯＩＮＴ）は「続いて」など繋ぎの台詞に置換され、＄（ＮＥＷＳ＿ＴＩＴＬＥ）はニュースのタイトルに置換され、＄（ＣＯＭＭＥＮＴ）はニュースの詳細な解説文に置換される。
【００４４】
上記の番組台本テンプレートは、番組を構成する台本のうちの小さい部品の一部であって、番組のワンシーンごとに存在する。図６においては、説明の都合上ピア４から番組台本テンプレートを取得することとしているが、実際にはピア・ツー・ピア・ネットワークに公開されている多数のピアから多くの番組台本テンプレートを取得する。このようにして取得した多くの番組台本テンプレートをどのように組み合わせてどのような順番で使用するかは、再生を行うピアで自由に決定する。
【００４５】
例えば素材データとして、台風の進路予想図の映像データと、そのタイトルのテキストデータと、天気解説者のＣＧモデルデータと、天気解説者が行うアナウンスの音声データが収集された場合、番組コンテンツ生成機能部２４は図１２に示すように、台風の進路予想図３１と、タイトル３２と、天気解説者のＣＧ３３とを画面表示し、天気解説者のＣＧ３３の口の動きに合わせてアナウンスを行う番組コンテンツを生成し、この番組コンテンツは番組コンテンツ再生機能部２５にて再生される。なお、図１２の下部に示す実線３４で囲んだ文章は、アナウンスの内容を示している。
【００４６】
このようにして、各ピアは、全て素材データ提供者側と利用者側のどちらにもなることができ、情報源が画一化を抑制でき多彩な番組コンテンツの供給を促すことができ、今までトップダウンかつ中央集権的だったコンテンツ配信が、誰もが情報を公開しコンテンツの部品を提供できるボトムアップかつ地方分権的コンテンツ配信を行うことができる。
【００４７】
なお、公開機能部２０が請求項記載の公開手段に対応し、関連付け機能部２１が関連付け手段に対応し、検索機能部２２が検索手段に対応し、ダウンロードまたはストリーミング機能部２３が取得手段に対応し、番組コンテンツ生成機能部２４が番組コンテンツ生成手段に対応する。
【００４８】
【発明の効果】
上述の如く、請求項１に記載の発明によれば、ピア・ツー・ピア・ネットワークを構成する複数のピアは、全て素材データ提供者側と利用者側のどちらにもなることができ、これにより、情報源が画一化を抑制でき多彩な番組コンテンツの供給を促すことができる。
【００４９】
また、請求項２に記載の発明によれば、素材データ提供者側のピアとなることができる。
【００５０】
また、請求項３に記載の発明によれば、素材データ利用者側のピアとなることができる。
【００５１】
また、請求項４に記載の発明によれば、ピア・ツー・ピア・ネットワークを構成する複数のピアは、全て素材データ提供者側と利用者側のどちらにもなることができ、これにより、情報源が画一化を抑制でき多彩な番組コンテンツの供給を促すことができる。
【００５２】
また、請求項５に記載の発明によれば、請求項１，４の発明を実現できる。
【００５３】
また、請求項６に記載の発明によれば、素材データを有料で配布することができる。
【図面の簡単な説明】
【図１】本発明の番組制作方法を実現するピア・ツー・ピア・ネットワークの一実施例の構成図である。
【図２】ピアの一実施例のハードウエア構成図である。
【図３】ピアの一実施例の機能ブロック図である。
【図４】ピア・ツー・ピア・ネットワークにおける素材データの公開を説明するための図である。
【図５】メタデータの一例を示す図である。
【図６】ピア・ツー・ピア・ネットワークにおける素材データの収集を説明するための図である。
【図７】メタデータ取得処理の一実施例のフローチャートである。
【図８】再生処理の一実施例のフローチャートである。
【図９】提供処理の一実施例のフローチャートである。
【図１０】課金処理の一実施例のフローチャートである。
【図１１】番組台本テンプレートの各実施例を示す図である。
【図１２】番組コンテンツ一実施例を示す図である。
【符号の説明】
１〜６　ピア
１１　入力装置
１２　表示装置
１３　インタフェース装置
１４　ドライブ装置
１５　記録媒体
１６　補助記憶装置
１７　演算処理装置
１８　メモリ装置
２０　公開機能部
２１　関連付け機能部
２２　検索機能部
２３　ダウンロードまたはストリーミング機能部
２４　番組コンテンツ生成機能部
２５　番組コンテンツ再生機能部
３１　台風の進路予想図
３２　タイトル
３４　実線
【図１】
2004080307.tif 000003
【図２】
2004080307.tif 000004
【図３】
2004080307.tif 000005
【図４】
2004080307.tif 000006
【図５】
2004080307.tif 000007
【図６】
2004080307.tif 000008
【図７】
2004080307.tif 000009
【図８】
2004080307.tif 000010
【図９】
2004080307.tif 000011
【図１０】
2004080307.tif 000012
【図１１】
2004080307.tif 000013
【図１２】
2004080307.tif 000014